(57)【要約】【課題】静電型トランスデューサの指向特性の可変範囲を広くする。【解決手段】静電型スピーカ１には、形状記憶合金が接着されている。静電型スピーカ１には、中央部分を周回するように折れ線の切れ目が設けられている。形状記憶合金に電流が流されると、形状記憶合金が変形し、中央部分が縁側の帯状の部分より突出した状態となる。静電型スピーカ１が平板の状態では、放音される音は平面状の波となるため拡散しにくく、直進していく。中央部分が突出した状態では、静電型スピーカ１から放音される音は球面状の波となり、平面視で左右方向だけでなく上下方向にも音が広がる。【選択図】図５
2013146022.tif 000002
【特許請求の範囲】
【請求項１】
可撓性を有する電極と、
可撓性を有し、前記電極と距離をおいて向かい合う振動体と
を有する静電型トランスデューサであって、
前記電極と前記振動体は、前記電極側から見て共通の位置に切れ目を有し、
当該切れ目に沿って前記電極と前記振動体が共に変形すること
を特徴とする静電型トランスデューサ。
【請求項２】
加熱により予め定められた形状に変形する可動部を前記切れ目に沿って有し、
前記可動部が前記予め定められた形状に変形した場合、当該静電型トランスデューサが予め定められた方向へ凸形状又は凹形状に変形すること
を特徴とする請求項１に記載の静電型トランスデューサ。
【請求項３】
加熱により予め定められた形状に変形する可動部を前記切れ目に沿って有し、
前記可動部が前記予め定められた形状に変形した場合、当該静電型トランスデューサが平板状に変形すること
を特徴とする請求項１に記載の静電型トランスデューサ。
【請求項４】
前記切れ目は、予め定められた部位を周回するように設けられていることを特徴とする請求項１乃至請求項３のいずれか一項に記載の静電型トランスデューサ。
【請求項５】
可撓性を有する電極と、
可撓性を有し、前記電極と距離をおいて向かい合う振動体と
を有する第１及び第２静電型トランスデューサユニットを備え、
前記第２静電型トランスデューサユニットは環状であり、
前記第１静電型トランスデューサユニットは、前記第２静電型スピーカユニットから見て前記第２静電型トランスデューサユニットの外周より内側に位置し、前記環状の中心軸の方向に移動可能であること
を特徴とする静電型トランスデューサ。
【発明の詳細な説明】
【技術分野】
【０００１】
本発明は、静電型トランスデューサに関する。
【背景技術】
【０００２】
放音する音の指向特性を制御するトランスデューサとして例えば特許文献１に開示されたスピーカ装置がある。このスピーカ装置は、可撓性を有する矩形で平板状のコンデンサスピーカの四隅の位置を制御し、平面、凹曲面、または凸曲面の形状に変形させることが可能となっている。このスピーカ装置によれば、コンデンサスピーカを凸曲面の形状とすると、広い範囲に音を放音させることができ、コンデンサスピーカを凹曲面の形状とすると、音を１点に集中させることができる。
【先行技術文献】
【特許文献】
【０００３】
【特許文献１】特開２００７−１５８６５８号公報
【発明の概要】
【発明が解決しようとする課題】
【０００４】
特許文献１のスピーカ装置は、矩形のコンデンサスピーカを変形させる際には矩形の右辺と左辺の位置を放音方向に対して前後させることにより凸曲面や凹曲面を作り出している（図１）。このため、同図の左右方向について見ると、中央が凸または凹となり、左右方向へ音が集束または拡散する。一方、同図の上下方向について見ると、中央部が凸または凹とならないため、上下方向については音が集束または拡散することができず、指向特性の可変範囲が限定されたものとなる。
【０００５】
本発明は、上述した背景の下になされたものであり、静電型トランスデューサの指向特性の可変範囲を広くする技術を提供することを目的とする。
【課題を解決するための手段】
【０００６】
上述した目的を達成するために本発明は、可撓性を有する電極と、可撓性を有し、前記電極と距離をおいて向かい合う振動体とを有する静電型トランスデューサであって、前記電極と前記振動体は、前記電極側から見て共通の位置に切れ目を有し、当該切れ目に沿って前記電極と前記振動体が共に変形することを特徴とする静電型トランスデューサを提供する。
【０００７】
本発明においては、加熱により予め定められた形状に変形する可動部を前記切れ目に沿って有し、前記可動部が前記予め定められた形状に変形した場合、当該静電型トランスデューサが予め定められた方向へ凸形状又は凹形状に変形する構成であってもよい。
【０００８】
本発明においては、加熱により予め定められた形状に変形する可動部を前記切れ目に沿って有し、前記可動部が前記予め定められた形状に変形した場合、当該静電型トランスデューサが平板状に変形する構成であってもよい。
【０００９】
また、本発明においては、前記切れ目は、予め定められた部位を周回するように設けられていてもよい。
【００１０】
また、本発明は、可撓性を有する電極と、可撓性を有し、前記電極と距離をおいて向かい合う振動体とを有する第１及び第２静電型トランスデューサユニットを備え、第２静電
型トランスデューサユニットは環状であり、前記第１静電型トランスデューサユニットは、前記第２静電型スピーカユニットから見て前記第２静電型トランスデューサユニットの外周より内側に位置し、前記環状の中心軸の方向に移動可能であることを特徴とする静電型トランスデューサを提供する。
【発明の効果】
【００１１】
本発明によれば、静電型トランスデューサの指向特性の可変範囲を広くすることができる。
【図面の簡単な説明】
【００１２】
【図１】本発明の第１実施形態に係る静電型スピーカ１の外観図。
【図２】静電型スピーカ１の分解図。
【図３】図１のＡ−Ａ線断面図。
【図４】駆動回路１００の構成を示した図。
【図５】変形した静電型スピーカ１の平面図、側面図及び正面図。
【図６】第２実施形態に係る静電型スピーカ１Ａの外観図。
【図７】静電型スピーカ１Ａの分解図。
【図８】図６のＢ−Ｂ線断面図。
【図９】静電型スピーカ１Ａの平面図、側面図及び正面図。
【図１０】駆動回路１００Ａの構成を示した図。
【図１１】第２実施形態においてアクチュエータを用いて可動部を移動させる構成のブロック図。
【図１２】変形例に係る静電型スピーカの正面図。
【図１３】変形例に係る静電型スピーカの平面図。
【図１４】変形例に係るマイクロフォン２と音響信号生成回路２００の構成を示した図。
【発明を実施するための形態】
【００１３】
[第１実施形態]
図１は、本発明の第１実施形態に係る静電型スピーカ１（静電型トランスデューサ）の外観図、図２は、静電型スピーカ１の分解図、図３は、図１のＡ−Ａ線断面図である。なお、図においては、直交するＸ軸、Ｙ軸およびＺ軸で方向を示しており、静電型スピーカ１を正面から見たときの左右方向をＸ軸の方向、奥行き方向をＹ軸の方向、高さ（上下）方向をＺ軸の方向としている。以下の説明においては、説明の便宜上、Ｚ軸の正方向側を上面側、Ｚ軸の負方向側を下面側と称する場合がある。なお、図中の各部材の寸法は、各部材の形状や位置関係を容易に理解できるように実際の寸法とは異ならせてある。
【００１４】
図に示したように、静電型スピーカ１は、振動体１０、電極２０Ｕ，２０Ｌ、弾性部材３０Ｕ，３０Ｌ、及び可動部４１Ａ，４１Ｂを有している。本実施形態においては、電極２０Ｕと電極２０Ｌの構成は同じであり、弾性部材３０Ｕと弾性部材３０Ｌの構成は同じである。このため、これらの部材において符号の末尾が「Ｕ」の部材と符号の末尾が「Ｌ」の部材とを区別する必要が特に無い場合は、「Ｌ」および「Ｕ」などの記載を省略する。
【００１５】
（静電型スピーカ１の各部の構成）
まず、静電型スピーカ１を構成する各部について説明する。振動体１０は、ＰＥＴ（polyethylene terephthalate：ポリエチレンテレフタレート）またはＰＰ（polypropylene：ポリプロピレン）などの絶縁性および柔軟性（または可撓性）を有する合成樹脂のフィルム（絶縁層）の一方の面に導電性のある金属を蒸着して導電膜（導電層）を形成したシート状の構成となっている。なお、本実施形態においては、導電膜は、フィルムの一方の面に形成されているが、フィルムの両面に形成されていてもよい。また、振動体１０は、導電性を有する金属を圧延して膜状にした構成であってもよい。
振動体１０は、図２に示したように切れ目が設けられ、上面側から見て４つの辺で囲まれた第１振動部１１と、この第１振動部１１に繋がる帯状の第２振動部１２とを有する。第２振動部１２は、上面側から見ると、第１振動部１１の四隅のうちの一箇所から第１振動部１１の外縁に沿って第１振動部１１を周回するように折れ線の形状となっている。なお、第２振動部１２は、第１振動部１１の周りを一周だけ周回する構成であっても良いが、本実施形態のように、複数回螺旋状に周回する方が、指向特性の可変範囲を広くできるので、好ましい。
【００１６】
電極（固定極）２０は、ＰＥＴまたはＰＰなどの絶縁性を有する合成樹脂のフィルム（絶縁層）を基材とし、フィルムの一方の面に導電性のある金属を蒸着して導電膜（導電層）を形成した構成となっている。電極２０は、上面から下面に貫通する孔を複数有しており、空気および音の通過が可能となっている。なお、図面においては、この孔の図示を省略している。
電極２０は、図２に示したように切れ目が設けられ、上面側から見て４つの辺に囲まれた第１導電部２１と、この第１導電部２１に繋がる帯状の第２導電部２２とを有する。第２導電部２２は、上面側から見ると、第１導電部２１の四隅のうちの一箇所から第１導電部２１の外縁に沿って第１導電部２１を周回するように折れ線の形状となっている。本実施形態においては、第１導電部２１のＸ軸方向の長さは、第１振動部１１のＸ軸方向の長さより長く、第１導電部２１のＹ軸方向の長さも、第１振動部１１のＹ軸方向の長さより長くなっている。また、上面側から見たときの第２導電部２２の幅Ｗ２は、第２振動部１２の幅Ｗ１より広くなっている。なお、振動体１０と同様に電極２０についても、導電性を有する金属を圧延して膜状にした構成であってもよい。
【００１７】
弾性部材３０は、本実施形態においては不織布であって電気を通さず空気および音の通過が可能となっており、その形状は上面側から見て矩形となっている。弾性部材３０は、弾性を有しており、外部から力を加えられると変形し、外部から加えられた力が取り除かれると元の形状に戻る。
弾性部材３０は、図２に示したように切れ目が設けられ、上面側から見て４つの辺に囲まれた第１弾性部３１と帯状の第２弾性部３２とを有する。第２弾性部３２は、上面側から見ると、第１弾性部３１の四隅のうちの一箇所から第１弾性部３１の外縁に沿って第１弾性部３１を周回するように折れ線の形状となっている。本実施形態においては、第１弾性部３１のＸ軸方向の長さは、第１導電部２１のＸ軸方向の長さと同じであり、第１弾性部３１のＹ軸方向の長さも、第１導電部２１のＹ軸方向の長さと同じとなっている。また、上面側から見て帯状の第２弾性部３２の幅は、第２導電部２２の幅Ｗ２と同じとなっている。
【００１８】
可動部４１Ａ，４１Ｂは、形状記憶合金のワイヤである。可動部４１Ａ，４１Ｂは、表面が絶縁されており、電流を流すと予め定められた形状に変形する。可動部４１Ａ，４１Ｂは、図２に示したように上面側から見て電極２０Ｌの第２導電部２２に沿った折れ線の形状となっている。
【００１９】
（静電型スピーカ１の構造）
次に静電型スピーカ１の構造について説明する。静電型スピーカ１においては、振動体１０は、弾性部材３０Ｕの下面側と弾性部材３０Ｌの上面側との間に配置される。振動体１０は、縁から内側へ数ｍｍの幅で接着剤が塗布されて弾性部材３０Ｕと弾性部材３０Ｌに接着されており、接着剤が塗布された部分より内側は弾性部材３０Ｕと弾性部材３０Ｌに固着されていない状態となっている。また、弾性部材３０Ｕと弾性部材３０Ｌ同士も、縁から内側へ数ｍｍの幅で接着剤が塗布されて互いに固着されている。
なお、振動体１０は、図２において弾性部材３０Ｌ上に示した一点鎖線の位置に配置さ
れる。上面側から見ると、第２振動部１２は、第２弾性部３２より内側に位置し、第１振動部１１は、第１弾性部３１より内側に位置するため、振動体１０は、弾性部材３０Ｕと弾性部材３０Ｌとの間に挟まれ、図３に示したように外部に露出しないこととなる。
【００２０】
電極２０Ｕは、弾性部材３０Ｕの上面側に接着され、電極２０Ｌは、弾性部材３０Ｌの下面側に接着されている。電極２０Ｕは、縁から内側へ数ｍｍの幅で接着剤が塗布されて弾性部材３０Ｕに接着されており、電極２０Ｌは、縁から内側へ数ｍｍの幅で接着剤が塗布されて弾性部材３０Ｌに接着されている。電極２０は、接着剤が塗布された部分より内側は弾性部材３０に固着されていない状態となっている。また、電極２０Ｕは、導電膜のある側が弾性部材３０Ｕに接しており、電極２０Ｌは、導電膜のある側が弾性部材３０Ｌに接している。つまり、電極２０の導電膜と振動体１０は、弾性部材３０を挟んで対向している。
このように電極２０、弾性部材３０、及び振動体１０が重ねられると、各部材の切れ目は、上面側から見て共通の位置となり、中央部分を周回する切れ目となる。各部材は柔軟性（または可撓性）があり、また、各部材で共通の位置に切れ目があるため、電極２０、弾性部材３０、及び振動体１０を重ねあわせたまま、切れ目に沿って変形させることができ、静電型スピーカ１をＺ軸方向に螺旋状に凸形状または凹形状に変形させることができる。また、切れ目が中央部分を周回する構成であるため、静電型スピーカ１は、Ｘ軸に沿った断面形状及びＹ軸に沿った断面形状を変形させることができる。
【００２１】
可動部４１Ａ，４１Ｂは、電極２０Ｌの下面側に接着されている。具体的には、可動部４１Ａは、第２導電部２２の外周側の縁と、第１導電部２１の縁に沿って電極２０Ｌに接着されている。また、可動部４１Ｂは、第２導電部２２の内周側の縁に沿って電極２０Ｌに接着されている。
【００２２】
（静電型スピーカ１に係る電気的構成）
次に、静電型スピーカ１に係る電気的構成について説明する。図４は、静電型スピーカ１を駆動する駆動回路１００の構成を示した図である。図４に示したように、静電型スピーカ１を駆動する駆動回路１００は、増幅部１３０、変圧器１１０、直流電源１１１、抵抗器Ｒ１１〜Ｒ１３、通電部１５０、操作部１６０、及び雌型の第１コネクター１４０を備えている。
【００２３】
増幅部１３０は、入力される音響信号を増幅して出力する増幅手段である。増幅部１３０は、抵抗器Ｒ１１と抵抗器Ｒ１２を介して変圧器１１０の一次側コイルの端子Ｔ１４と端子Ｔ１５に接続されている。増幅部１３０で増幅された交流の音響信号は、変圧器１１０へ供給される。変圧器１１０は、増幅部１３０から供給される音響信号を昇圧するものである。変圧器１１０の二次側コイルの一方の端子Ｔ１１は、第１コネクター１４０の１番端子に接続され、変圧器１１０の二次側コイルの他方の端子Ｔ１２は、第１コネクター１４０の３番端子に接続されている。また、変圧器１１０の二次側コイルのセンタータップＴ１３は、駆動回路１００の基準電位であるグラウンドＧＮＤに接続されている。
【００２４】
直流電源１１１は、直流の電圧（バイアス電圧）を振動体１０へ印加するための電源である。直流電源１１１は、抵抗器Ｒ１３を介して第１コネクター１４０の第５端子に接続されている。操作部１６０は、ボタンスイッチを備えており、通電部１５０に接続されている。通電部１５０は、第１コネクター１４０の６番端子と７番端子に接続されている。通電部１５０は、可動部４１Ａ，４１Ｂに電流を流す電源として機能する。通電部１５０は、操作部１６０のボタンスイッチが押されると、可動部４１Ａ，４１Ｂに電流を流すための電気信号を第１コネクター１４０の６番端子と７番端子へ出力し、電気信号の出力を開始してから一定時間が経過すると、この電気信号の出力を停止する。なお、第１コネクター１４０の２番端子及び４番端子は、駆動回路１００のグラウンドＧＮＤに接続されて
いる。
【００２５】
次に静電型スピーカ１においては、雄型の第２コネクター１４１の１番端子はケーブルで電極２０Ｕに接続され、第２コネクター１４１の３番端子はケーブルで電極２０Ｌに接続されている。第２コネクター１４１の５番端子はケーブルで振動体１０に接続されている。また、第２コネクター１４１の６番端子は、可動部４１Ａ，４１Ｂの一端に接続され、第２コネクター１４１の７番端子は、可動部４１Ａ，４１Ｂの他端に接続されている。なお、第１コネクター１４０及び第２コネクター１４１においては、各端子間は絶縁されている。
【００２６】
（実施形態の動作）
次に本実施形態の動作について説明する。静電型スピーカ１を駆動する際には、まず雄型の第２コネクター１４１が雌型の第１コネクター１４０に嵌められる。第１コネクター１４０に第２コネクター１４１が嵌められると、各コネクターの同じ番号の端子同士が接続され、端子Ｔ１１と電極２０Ｕが電気的に接続され、端子Ｔ１２と電極２０Ｌが電気的に接続される。変圧器１１０のセンタータップＴ１３はグラウンドＧＮＤに接続されているため、増幅部１３０に入力された音響信号の振幅が０Ｖの状態では、端子Ｔ１１と端子Ｔ１２の電圧は０Ｖとなる。また、直流電源１１１が抵抗器Ｒ１３を介して振動体１０に電気的に接続され、振動体１０には、直流電圧（バイアス電圧）が印加される。
【００２７】
また、コネクター同士が嵌められると、可動部４１Ａ，４１Ｂの両端が各コネクターの６番端子及び７番端子を介して通電部１５０に接続される。通電部１５０から可動部４１Ａ，４１Ｂには電流が流れてなく、可動部４１Ａ，４１Ｂが、形状記憶合金の変態点以下の温度であると、可動部４１Ａ，４１Ｂを手で変形させることができるため、図１に示したように静電型スピーカ１を平板状に変形させることができる。
【００２８】
一方、操作部１６０のボタンスイッチが押されると、予め定められた時間、通電部１５０から電気信号が出力され、通電部１５０→第１コネクター１４０及び第２コネクター１４１の６番端子→可動部４１Ａ，４１Ｂ→第１コネクター１４０及び第２コネクター１４１の７番端子→通電部１５０という経路で電流が流れる。可動部４１Ａ，４１Ｂに電流が流れると、可動部４１Ａ，４１Ｂはジュール熱で発熱し、形状記憶合金の変態点以上の温度になる。可動部４１Ａ，４１Ｂは、変態点以上の温度に加熱されると予め定められた形状に変形する。可動部４１Ａ，４１Ｂが変形すると、可動部４１Ａ，４１Ｂの変形に伴って電極２０、弾性部材３０及び振動体１０が変形する。
【００２９】
図５は、可動部４１Ａ，４１Ｂに通電して変形した後の静電型スピーカ１の平面、側面及び正面を示した図である。なお、図５においては、図面が煩雑になるのを防ぐために可動部４１Ａ，４１Ｂの図示を省略している。可動部４１Ａ，４１Ｂが変形すると、図５に示したように、電極２０、弾性部材３０及び振動体１０の帯状の部分が一体で重なったまま、Ｚ軸の方向へ段差がつくように変形し、電極２０、弾性部材３０及び振動体１０の中央部がＺ軸の正方向側へ最も突出する。
【００３０】
次に、音響信号の振幅が０Ｖから変化した場合について説明する。増幅部１３０に交流の音響信号が入力されると、入力された音響信号が増幅されて変圧器１１０の一次側に供給される。昇圧手段である変圧器１１０で昇圧されて端子Ｔ１２から出力される音響信号は、変圧器１１０で昇圧されて端子Ｔ１１から出力される音響信号とは振幅が同じで信号の極性が逆となる。
【００３１】
増幅部１３０にプラスの音響信号が入力されたことにより、変圧器１１０の二次側の端子Ｔ１１から出力される音響信号の極性がプラスとなり、端子Ｔ１２から出力される音響
信号の極性がマイナスとなった場合には、振動体１０と電極２０Ｕとの間の静電引力が弱まる一方、振動体１０と電極２０Ｌとの間の静電引力が強くなる。すると振動体１０は、電極２０Ｕ側に作用する静電引力と電極２０Ｌ側に作用する静電引力との差に応じて電極２０Ｌ側（Ｚ軸の負方向）へ変位する。
【００３２】
また、増幅部１３０にマイナスの音響信号が入力されたことにより、変圧器１１０の二次側の端子Ｔ１１から出力される音響信号の極性がマイナスとなり、端子Ｔ１２から出力される音響信号の極性がプラスとなった場合には、振動体１０と電極２０Ｌとの間の静電引力が弱まる一方、振動体１０と電極２０Ｕとの間の静電引力が強くなる。すると振動体１０は、電極２０Ｕ側に作用する静電引力と電極２０Ｌ側に作用する静電引力との差に応じて電極２０Ｕ側（Ｚ軸の正方向）へ変位する。
【００３３】
このように振動体１０は、音響信号に応じて図のＺ軸の正方向とＺ軸の負方向に変位し、その変位方向が逐次変わることによって振動となり、その振動状態（振動数、振幅、位相）に応じた音波が振動体１０から発生する。発生した音波は、音響透過性を有する弾性部材３０及び電極２０を通過して静電型スピーカ１の外部に音として放射される。
【００３４】
静電型スピーカ１が図１に示したように平板状である場合、第１振動部１１と第２振動部１２のＺ軸方向の位置が同じとなる。この場合、静電型スピーカ１から放音される音は平面状の波となるため拡散しにくく、直進していく。
一方、静電型スピーカ１を図５に示したように凸形状（Ｚ軸の負方向に対しては凹形状）に変形させると、第１振動部１１と第２振動部１２は、同相で駆動されるものの、駆動されるときのＺ軸方向の位置が異なることとなる。このように音を放音する方向において第１振動部１１と第２振動部１２の位置が異なると、静電型スピーカ１から放音される音は、第１振動部１１と第２振動部１２とが成す凸形状に応じて、Ｚ軸の正方向に対して球面状の波となる。Ｚ軸の正方向へ放射された球面状の波の音は、静電型スピーカ１を中心にして拡散するため、図１の状態と比較すると、Ｘ軸の方向やＹ軸の方向へ広く音を届けることができる。
なお、Ｚ軸の負方向について見ると、静電型スピーカ１の中央部は帯状の部分より引っ込んでいるため、静電型スピーカ１から放音される音は集束し、図１の状態より狭い範囲に音を届けることとなる。
【００３５】
[第２実施形態]
次に、本発明の第２実施形態について説明する。図６は、本発明の第２実施形態に係る静電型スピーカ１Ａ（静電型トランスデューサ）の外観図、図７は、静電型スピーカ１Ａの分解図、図８は、図６のＢ−Ｂ線断面図である。図に示したように、静電型スピーカ１Ａは、振動体１０Ａ〜１０Ｃ、電極２０ＵＡ〜２０ＵＣ，２０ＬＡ〜２０ＬＣ、弾性部材３０ＵＡ〜３０ＵＣ，３０ＬＡ〜３０ＬＣ、及び可動部４２Ａ〜４２Ｃを有している。
【００３６】
（静電型スピーカ１Ａの各部の構成）
振動体１０Ａ〜１０Ｃは、第１実施形態の振動体１０と同様に、絶縁性および柔軟性（または可撓性）を有する合成樹脂のフィルムの一方の面に導電性のある金属を蒸着して導電膜を形成したシート状の構成となっている。各振動体の形状については、振動体１０Ａは、図７に示したように上面側から見て矩形となっている。また、振動体１０Ｂ，１０Ｃは、上面側から見ると矩形の枠形となっている。
振動体１０Ｂは、上面側から見ると内周側の縁のＸ軸方向の長さとＹ軸方向の長さが、それぞれ振動体１０Ａの外周側の縁のＸ軸方向の長さとＹ軸方向の長さより長く、振動体１０Ａと間隔をあけて振動体１０Ａの外側に配置することができる。また、振動体１０Ｃは、上面側から見ると内周側の縁のＸ軸方向の長さとＹ軸方向の長さが、それぞれ振動体１０Ｂの外周側の縁のＸ軸方向の長さとＹ軸方向の長さより長く、振動体１０Ｂと間隔を
あけて振動体１０Ｂの外側に配置することができる。
【００３７】
電極２０ＵＡ〜２０ＵＣ及び電極２０ＬＡ〜２０ＬＣは、第１実施形態の電極２０と同様に絶縁性を有する合成樹脂のフィルムの一方の面に導電性のある金属を蒸着して導電膜を形成した構成となっている。電極２０ＵＡ〜２０ＵＣ及び電極２０ＬＡ〜２０ＬＣは、上面から下面に貫通する孔を複数有しており、空気および音の通過が可能となっている。なお、図面においては、この孔の図示を省略している。
電極２０ＵＡ，２０ＬＡは、図７に示したように上面側から見て矩形となっている。電極２０ＵＡのＸ軸方向の長さと電極２０ＬＡのＸ軸方向の長さは同じであり、電極２０ＵＡのＹ軸方向の長さと電極２０ＬＡのＹ軸方向の長さも同じとなっている。また、電極２０ＵＡ，２０ＬＡは、振動体１０Ａと比較すると、Ｘ軸方向の長さとＹ軸方向の長さが、振動体１０ＡのＸ軸方向の長さとＹ軸方向の長さよりも、それぞれ長くなっている。
【００３８】
電極２０ＵＢ，２０ＵＣ，２０ＬＢ，２０ＬＣは、上面側から見ると矩形の枠形となっている。電極２０ＵＢ（電極２０ＬＢ）は、上面側から見て内周側の縁のＸ軸方向及びＹ軸方向の長さが電極２０ＵＡ（電極２０ＬＡ）の外周側の縁のＸ軸方向及びＹ軸方向の長さより長く、電極２０ＵＡ（電極２０ＬＡ）の外側に配置することができる。電極２０ＵＣ（電極２０ＬＣ）は、上面側から見て内周側の縁のＸ軸方向及びＹ軸方向の長さが電極２０ＵＢ（電極２０ＬＢ）の外周側の縁のＸ軸方向及びＹ軸方向の長さより長く、電極２０ＵＢ（電極２０ＬＢ）の外側に配置することができる。
【００３９】
なお、電極２０ＵＢ，２０ＬＢは、Ｘ軸方向における外周側から内周側への幅は、振動体１０ＢのＸ軸方向における外周側から内周側への幅より広く、Ｙ軸方向における外周側から内周側への幅も、振動体１０ＢのＹ軸方向における外周側から内周側への幅より広くなっている。
また、電極２０ＵＣ，２０ＬＣも、Ｘ軸方向における外周側から内周側への幅は、振動体１０ＣのＸ軸方向における外周側から内周側への幅より広く、Ｙ軸方向における外周側から内周側への幅も、振動体１０ＣのＹ軸方向における外周側から内周側への幅より広くなっている。
【００４０】
弾性部材３０ＵＡ〜３０ＵＣ及び弾性部材３０ＬＡ〜３０ＬＣは、第１実施形態の弾性部材３０と同様に不織布で形成されている。弾性部材３０ＵＡ，３０ＬＡは、図７に示したように上面側から見て矩形となっている。弾性部材３０ＵＡのＸ軸方向の長さと弾性部材３０ＬＡのＸ軸方向の長さは同じであり、弾性部材３０ＵＡのＹ軸方向の長さと弾性部材３０ＬＡのＹ軸方向の長さも同じとなっている。
また、弾性部材３０ＵＢ，３０ＬＢ，３０ＵＣ，３０ＬＣは、上面側から見ると矩形の枠形となっている。弾性部材３０ＵＢ（弾性部材３０ＬＢ）は、上面側から見て内周側の縁のＸ軸方向及びＹ軸方向の長さが弾性部材３０ＵＡ（弾性部材３０ＬＡ）の外周側の縁のＸ軸方向及びＹ軸方向の長さより長く、弾性部材３０ＵＡ（弾性部材３０ＬＡ）の外側に配置することができる。弾性部材３０ＵＣ（弾性部材３０ＬＣ）は、上面側から見て内周側の縁のＸ軸方向及びＹ軸方向の長さが弾性部材３０ＵＢ（弾性部材３０ＬＢ）の外周側の縁のＸ軸方向及びＹ軸方向の長さより長く、弾性部材３０ＵＢ（弾性部材３０ＬＢ）の外側に配置することができる。
【００４１】
弾性部材３０ＵＡ〜３０ＵＣの寸法は、Ｚ軸方向の厚み以外については、電極２０ＵＡ〜２０ＵＣの寸法と同じとなっており、弾性部材３０ＬＡ〜３０ＬＣの寸法も、Ｚ軸方向の厚み以外については、電極２０ＬＡ〜２０ＬＣの寸法と同じとなっている。なお、弾性部材のＺ軸方向の厚さは、電極の厚さより厚くなっている。
【００４２】
可動部４２Ａ〜４２Ｃは、弾性を有する合成樹脂（例えばスポンジ状のポリウレタン）
で形成されている。可動部４２Ａは、図７に示したように上面側から見て矩形となっている。また、可動部４２Ｂ，４２Ｃは、上面側から見ると矩形の枠形となっている。可動部４２Ｂは、上面側から見ると内周側の縁のＸ軸方向の長さが可動部４２ＡのＸ軸方向の長さより短くなっており、内周側の縁のＹ軸方向の長さも可動部４２ＡのＹ軸方向の長さより短くなっている。可動部４２Ｃは、上面側から見ると内周側の縁のＸ軸方向の長さが可動部４２Ｂの外周側の縁のＸ軸方向の長さより短くなっており、内周側の縁のＹ軸方向の長さも可動部４２Ａの外周側の縁のＹ軸方向の長さより短くなっている。
各可動部は弾性を有しているため、可動部４２Ａを可動部４２Ｂの内周側に嵌めて位置を固定することができ、可動部４２Ｂを可動部４２Ｃの内周側に嵌めて位置を固定することができる。
【００４３】
（静電型スピーカ１Ａの構造）
次に静電型スピーカ１Ａの構造について説明する。静電型スピーカ１Ａにおいては、振動体１０Ａは、弾性部材３０ＵＡの下面側と弾性部材３０ＬＡの上面側との間に配置される。振動体１０Ａは、縁から内側へ数ｍｍの幅で接着剤が塗布されて弾性部材３０ＵＡと弾性部材３０ＬＡに接着されており、接着剤が塗布された部分より内側は弾性部材３０ＵＡと弾性部材３０ＬＡに固着されていない状態となっている。また、弾性部材３０ＵＡと弾性部材３０ＬＡ同士も、縁から内側へ数ｍｍの幅で接着剤が塗布されて互いに固着されている。
【００４４】
振動体１０Ｂは、弾性部材３０ＵＢの下面側と弾性部材３０ＬＢの上面側との間に配置され、弾性部材３０ＵＢ，３０ＬＢに接着される。なお、弾性部材３０ＵＢと弾性部材３０ＬＢ同士も互いに接着される。振動体１０Ｃは、弾性部材３０ＵＣの下面側と弾性部材３０ＬＣの上面側との間に配置され、弾性部材３０ＵＣ，３０ＬＣに接着される。なお、弾性部材３０ＵＣと弾性部材３０ＬＣ同士も互いに接着される。
【００４５】
なお、振動体１０Ａは、上面側から見ると弾性部材３０ＵＡ，３０ＬＡの縁より内側に位置し、図８に示したように縁の部分が弾性部材３０ＵＡ，３０ＵＬに覆われるため、外部に露出することがない。また、振動体１０Ｂについても、上面側から見ると弾性部材３０ＵＢ，３０ＬＢの縁より内側に位置し、図８に示したように縁の部分が弾性部材３０ＵＢ，３０ＬＢに覆われるため、外部に露出することがなく、振動体１０Ｃも、上面側から見ると弾性部材３０ＵＣ，３０ＬＣの縁より内側に位置し、図８に示したように縁の部分が弾性部材３０ＵＣ，３０ＬＣに覆われるため、外部に露出することがない。
【００４６】
電極２０ＵＡ〜２０ＵＣは、弾性部材３０ＵＡ〜３０ＵＣの上面側に接着され、電極２０ＬＡ〜２０ＬＣは、弾性部材３０ＬＡ〜３０ＬＣの下面側に接着されている。なお、各電極は、導電膜のある側が弾性部材に接している。可動部４２Ａ〜４２Ｃは、電極２０ＬＡ〜２０ＬＣの下面側に接着されている。
【００４７】
この構成においては、可動部４２Ａの上に矩形の静電型スピーカ（第１静電型トランスデューサユニット）が位置し、可動部４２Ｂ，４２Ｃの上に枠形の静電型スピーカ（第２静電型トランスデューサユニット）が位置することとなる。ここで、説明の便宜上、可動部４２Ａの上面側にある静電型スピーカを静電型スピーカ１Ａ−１、可動部４２Ｂの上面側にある環状の静電型スピーカを静電型スピーカ１Ａ−２、可動部４２Ｃの上面側にある環状の静電型スピーカを静電型スピーカ１Ａ−３と称する。
静電型スピーカ１Ａ−１〜１Ａ−３は、中心を同じとし、静電型スピーカ１Ａ−１を囲むように静電型スピーカ１Ａ−２が配置され、静電型スピーカ１Ａ−２を囲むように静電型スピーカ１Ａ−３が配置される。即ち、一の静電型スピーカが他の静電型スピーカを囲むように配置される。
【００４８】
可動部４２Ａ〜４２Ｃは各々別体であり、個別にＺ軸方向の位置を変更できる。図９は、可動部４２Ａ，４２Ｂの位置を可動部４２Ｃの位置からＺ軸の正方向側へ移動させた状態の一例を示した図であり、静電型スピーカ１Ａの平面、側面及び正面を示している。
図９に示したように可動部４２Ｂを可動部４２Ｃに対してＺ軸の正方向側（前側）に移動させ、可動部４２Ａを可動部４２Ｂに対してＺ軸の正方向側（前側）に移動させると、静電型スピーカ１Ａ−２は、静電型スピーカ１Ａ−３よりＺ軸の正方向側（環状の静電型スピーカ１Ａ−２，３の中心軸の方向）へ突出し、静電型スピーカ１Ａ−１は、静電型スピーカ１Ａ−２よりＺ軸の正方向側（環状の静電型スピーカ１Ａ−２，３の中心軸の方向）へ突出した状態となる。
【００４９】
（静電型スピーカ１Ａに係る電気的構成）
次に、静電型スピーカ１Ａに係る電気的構成について説明する。図１０は、静電型スピーカ１Ａを駆動する駆動回路１００Ａの構成を示した図である。駆動回路１００Ａは、通電部１５０及び操作部１６０を備えていない点が第１実施形態の駆動回路１００と異なり、他の構成は駆動回路１００と同じである。
一方、静電型スピーカ１Ａは、電極２０ＵＡ〜２０ＵＣが第２コネクター１４１の１番端子に接続され、電極２０ＬＡ〜２０ＬＣが第２コネクター１４１の３番端子に接続されている。また、振動体１０Ａ〜１０Ｃが第２コネクター１４１の５番端子に接続されている。
【００５０】
この構成においては、電極２０ＵＡ〜２０ＵＣには同じ音響信号が供給され、電極２０ＬＡ〜２０ＬＣには同じ音響信号が供給される。また、振動体１０Ａ〜１０Ｃには同じバイアス電圧が印加される。このため、音響信号に応じて振動体１０Ａ〜１０Ｃが変位する方向は同じとなる。
【００５１】
（実施形態の動作）
静電型スピーカ１Ａが図６に示したように平板状である場合、振動体１０Ａ〜１０ＣのＺ軸方向の位置が同じとなる。この場合、静電型スピーカ１Ａから放音される音は平面状の波となるため拡散しにくく、直進していく。
一方、静電型スピーカ１Ａを図９に示したように変形させると、振動体１０Ａ〜１０Ｃは、Ｚ軸方向の位置が異なることとなる。このように振動体１０Ａ〜１０Ｃの位置が異なると、静電型スピーカ１ＡからＺ軸の正方向へ放音される音は球面状の波となる。Ｚ軸の正方向へ放射された球面状の波は、静電型スピーカ１Ａを中心にして拡散するため、図６の状態と比較すると、Ｘ軸の方向やＹ軸の方向へ広く音を届けることができる。
なお、本実施形態においては、静電型スピーカ１Ａ−１〜１Ａ−３の三つのスピーカを備える構成となっているが、備えるスピーカの数は２つであってもよく、また４つ以上であってもよい。また、可動部４２Ｂ，４２Ｃは、Ｚ軸の正方向だけでなく負方向に移動させてもよい。つまり、静電型スピーカ１Ａ−２から見て静電型スピーカ１Ａを下面側（後ろ側）に移動させてもよく、静電型スピーカ１Ａ−３から見て静電型スピーカ１Ａ−３を下面側（後ろ側）に移動させてもよい。また、本実施形態においては、上面側から見た場合、静電型スピーカ１Ａ−１の形状を円形とし、静電型スピーカ１Ａ−２，１Ａ−３の形状を円環形状としてもよい。
【００５２】
また、本実施形態においては、可動部４２Ａの外周と可動部４２Ｂの内周との間、及び可動部４２Ｂの外周と可動部４２Ｃの内周との間に隙間を設け、アクチュエータを用いて可動部４２Ａ〜４２ＣをＺ軸の正方向または負方向へ移動させるようにしてもよい。
図１１は、アクチュエータを用いて可動部４２Ａ〜４２Ｃを移動させる構成を示したブロック図である。この構成においては、駆動回路１００Ａは、操作部１６０、駆動部１７０を備える。また、駆動回路１００Ａには、アクチュエータ１７０Ａ〜１７０Ｃが接続される。
アクチュエータ１７０Ａ〜１７０Ｃは、可動部を移動させるものである。アクチュエータ１７０Ａは可動部４２Ａに接続され、アクチュエータ１７０Ｂは可動部４２Ｂに接続され、アクチュエータ１７０Ｃは可動部４２Ｃに接続されている。操作部１６０は、第１実施形態の操作部１６０と同じ構成である。
駆動部１７０は、操作部１６０に接続されている。駆動部１７０は、操作部１６０のボタンスイッチが操作されると、アクチュエータ１７０Ａ〜１７０Ｃを駆動する。アクチュエータ１７０Ａ〜１７０Ｃが駆動されると、可動部４２Ａ〜４２Ｃが移動し、図９に示した状態となる。
【００５３】
なお、操作部１６０において、各可動部に対応するスライドボリュームを設け、スライドボリュームが操作されると、対応する可動部のＺ軸方向の位置がスライドボリュームの操作量に応じて移動するように各アクチュエータを制御してもよい。
【００５４】
[変形例]
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００５５】
（変形例１）
上述した第１実施形態においては、形状記憶合金である可動部４１Ａ，４１Ｂを用いて静電型スピーカ１を変形させているが、可動部４１Ａ，４１Ｂを形状記憶合金ではない塑性変形する部材（例えば針金）とし、この部材を手で変形させることにより、静電型スピーカ１の各部材の形状を変形させてもよい。
【００５６】
（変形例２）
上述した第１実施形態においては、電極２０Ｕの下面側に形状記憶合金の可動部４１Ａ，４１Ｂが配置されているが、電極２０Ｕの上面側にも可動部４１Ａ，４１Ｂと同様に第１導電部２１に沿って形状記憶合金を配置してもよい。なお、この構成においては、電極２０Ｕの上面側に配置した形状記憶合金に電流を流した場合、静電型スピーカ１の中央部がＺ軸の負方向側へ最も突出するようにしてもよい。
この構成によれば、可動部４１Ａ，４１Ｂに電流を流すと、Ｚ軸の正方向に放音される音は球面状の波となり、Ｚ軸の正方向については音が静電型スピーカ１を中心にして拡散する。一方、電極２０Ｕ側に配置された形状記憶合金に電流を流すと、Ｚ軸の正方向については、静電型スピーカ１から放音される音は集束し、音を届ける範囲を狭くすることができる。
【００５７】
（変形例３）
上述した第１実施形態においては、可動部４１Ａ，４１Ｂに電流を流した場合、静電型スピーカ１の中央部は、Ｚ軸の正方向側に突出するとともに、Ｘ軸の方向又はＹ軸の方向へ移動するようにしてもよい。また、第１実施形態においては、可動部４１Ａ，４１Ｂに電流を流した場合、第１振動部１１がＸＹ平面に対して傾くように可動部４１Ａ，４１Ｂが変形する構成であってもよい。
【００５８】
（変形例４）
上述した第２実施形態においては、静電型スピーカ１Ａ−１〜１Ａ−３は、可動部に接着されているが、静電型スピーカ１Ａ−１と静電型スピーカ１Ａ−２を糸で接続し、静電型スピーカ１Ａ−２と静電型スピーカ１Ａ−３を柔軟性のある糸で接続するようにしてもよい。
図１２は、本変形例に係る静電型スピーカの正面図である。図に示したように静電型ス
ピーカ１Ａ−３は、糸５０で静電型スピーカ１Ａ−２に接続され、静電型スピーカ１Ａ−２は、糸５０で静電型スピーカ１Ａ−１に接続されている。
例えば、静電型スピーカ１Ａ−３を部屋の天井に配置した場合、静電型スピーカ１Ａ−２と静電型スピーカ１Ａ−１は、自重によりＺ軸の負方向に下がり、糸５０で吊り下げられた状態となる。
ここで、静電型スピーカ１Ａ−２は、静電型スピーカ１Ａ−３よりＺ軸の負方向側へ突出し、静電型スピーカ１Ａ−１は、静電型スピーカ１Ａ−２よりＺ軸の負方向側へ突出した状態となる。この場合、静電型スピーカからＺ軸の負方向へ放音される音は球面状の波となり、Ｚ軸の負方向へ放射された球面状の波は、静電型スピーカを中心にして拡散する。なお、糸を形状記憶合金に替え、凸形状や凹形状、平板状に変形させるようにしてもよい。
【００５９】
（変形例５）
上述した第１実施形態においては、図１に示したように矩形の静電型スピーカ１に折れ線状の切れ目が周回するように設けられた構成となっているが、切れ目の態様は図１のものに限定されるものではない。
例えば、図１３の（ａ）に示したように、Ｙ軸の正方向側の辺から負方向側の辺へ向かって設けられた切れ目と、Ｙ軸の負方向側の辺から正方向側の辺へ向かって設けられた切れ目を、Ｘ軸方向へ交互に設けた構成であってもよい。なお、図１３の（ａ）においては、破線で振動体１０の形状及び位置を示している。この構成においては、静電型スピーカは、帯状ものをＹ軸方向に沿って九十九折り状に折れ曲がった形状となり、帯状の部分の各々を種々の方向へ向けることができるため、音を拡散させたり集束させたりすることができる。
【００６０】
また、例えば図１３の（ｂ）〜（ｅ）に示したように静電型スピーカに切れ目を設けてもよい。図１３の（ｂ）の構成においては、中央部分に直線を直角に交差させた切れ目を設けており、中央部分をＺ軸の正方向に突出させれば、振動体１０が複数の方向を向くため、音を拡散させることができる。また、図１３の（ｃ）の構成においては、一つの直線に複数の直線が直角に交差するように切れ目が設けられており、櫛歯状の部分の先端をＺ軸の正方向に突出させれば、振動体１０が複数の方向を向くため、音を拡散させることができる。
また、図１３の（ｄ）の構成においては、一つの直線を九十九折り状にした切れ目が設けられており、櫛歯状の部分の先端をＺ軸の正方向に突出させれば、振動体１０が複数の方向を向くため、音を拡散させることができる。
また、図１３の（ｅ）の構成においては、三角波の形状をした切れ目が設けられており、櫛歯状の部分の先端をＺ軸の正方向に突出させれば、振動体１０が複数の方向を向くため、音を拡散させることができる。
また、上面側から見た静電型スピーカの形状は矩形に限定されるものではなく、例えば図１３の（ｆ）に示したように円形とし、切れ目をらせん状としてもよい。
【００６１】
（変形例６）
上述した実施形態においては、静電型スピーカはプッシュプル型となっているが、静電型スピーカは、上面側の電極または下面側の電極を備えていないシングル型であってもよい。なお、プッシュプル型の場合、振幅が同じで極性が異なる一対の信号を静電型スピーカへ供給するが、静電型スピーカがシングル型の場合には、端子Ｔ１１または端子Ｔ１２から出力された信号を電極へ供給する。
【００６２】
（変形例７）
上述した実施形態においては、電極、振動体及び弾性部材を積層した構成を、音響信号を音に変換するスピーカとしているが、この構成は、音を音響信号に変換する静電型のマ
イクロフォン（静電型トランスデューサ）とすることも可能である。
図１４は、本変形例に係るマイクロフォン２と、マイクロフォン２で収音された音を表す音響信号を生成する音響信号生成回路２００の構成を示した図である。本変形例においては、マイクロフォン２は、前述の静電型スピーカ１と同じ構成であるため、マイクロフォン２を構成する部材には、静電型スピーカ１の各部材と同じ符号を付し、その説明を省略する。また、音響信号生成回路２００の構成は、信号が流れる方向が駆動回路１００と異なる以外は、駆動回路１００と同じであるため、音響信号生成回路２００が備える部品には駆動回路１００が備える部品と同じ符号を付し、各部品の説明を省略する。なお、変圧器１１０の変圧比及び抵抗器Ｒ１１〜Ｒ１３の抵抗値は適宜調整される。
【００６３】
導体である電極２０と導体である振動体１０は距離をおいて向かいあっており、電極２０と振動体１０は平行平板の導体によって構成されたコンデンサとして機能している。振動体１０にはバイアス電圧が印加されているため、マイクロフォンに音が到達していない状態においては、このコンデンサに一定の電荷が溜まった状態となる。
マイクロフォン２に音が到達した場合、到達した音によって振動体１０が振動する。振動体１０が振動すると、振動体１０と電極２０Ｕ，２０Ｌとの間の距離が変わるため、振動体１０と電極２０との間の静電容量に変化が生じる。
【００６４】
例えば、振動体１０が電極２０Ｕ側に変位すると、電極２０Ｕと振動体１０との間の距離が短くなり、電極２０Ｕと振動体１０との間の静電容量が大きくなる。また、電極２０Ｌと振動体１０との間の距離が長くなり、電極２０Ｌと振動体１０との間の静電容量が小さくなる。
このように静電容量が変化すると、電極２０Ｕと振動体１０との電位差が小さくなるように電極２０Ｕの電位が変化し、電極２０Ｌと振動体１０との電位差が大きくなるように電極２０Ｌの電位が変化する。ここで、電極２０Ｕと電極２０Ｌとの間で電位差が生じるため、変圧器１１０の二次側コイルには電流が流れる。
【００６５】
また、振動体１０が電極２０Ｌ側に変位すると、電極２０Ｌと振動体１０との間の距離が短くなり、電極２０Ｌと振動体１０との間の静電容量が大きくなる。また、電極２０Ｕと振動体１０との間の距離が長くなり、電極２０Ｕと振動体１０との間の静電容量が小さくなる。すると、電極２０Ｌと振動体１０との電位差が小さくなるように電極２０Ｌの電位が変化し、電極２０Ｕと振動体１０との電位差が大きくなるように電極２０Ｕの電位が変化する。ここで、電極２０Ｕと電極２０Ｌとの間で電位差が生じ、変圧器１１０の二次側コイルには、振動体１０が電極２０Ｕの方向に変位したときとは逆の方向に電流が流れる。
【００６６】
変圧器１１０の二次側コイルに電流が流れると、この電流に対応して変圧器１１０の一次側コイルにも電流が流れる。一次側コイルに流れた信号は、増幅部１３０で増幅され、増幅された信号がマイクロフォン２で収音された音を表す音響信号として増幅部１３０から出力される。
【００６７】
なお、本変形例においては、変圧器１１０のインピーダンスが低い場合には、マイクロフォン２の負荷容量の影響により、低い周波数における周波数特性が低下する場合がある。この場合、変圧器１１０に替えてインピーダンスの高いアンプを電極２０Ｕ，２０Ｌに接続し、周波数特性の低下を抑えるようにしてもよい。
【符号の説明】
【００６８】
１…静電型スピーカ、２…マイクロフォン、１０，１０Ａ〜１０Ｃ…振動体、１１…第１振動部、１２…第２振動部、２０，２０Ｕ，２０Ｌ，２０ＵＡ〜２０ＵＣ，２０ＬＡ〜２０ＬＣ…電極、２１…第１導電部、２２…第２導電部、３０，３０Ｕ，３０Ｌ，３０ＵＡ
〜３０ＵＣ，３０ＬＡ〜３０ＬＣ…弾性部材、３１…第１弾性部、３２…第２弾性部、４１Ａ，４１Ｂ…可動部、４２Ａ〜４２Ｃ…可動部、５０…糸、１００…駆動回路、１１０…変圧器、１１１…直流電源、１３０…増幅部、１４０…第１コネクター、１４１…第２コネクター、１５０…通電部、１６０…操作部、１８０Ａ〜１８０Ｃ…アクチュエータ、２００…音響信号生成回路、Ｒ１１〜Ｒ１３…抵抗器
【図１】
2013146022.tif 000003
【図２】
2013146022.tif 000004
【図３】
2013146022.tif 000005
【図４】
2013146022.tif 000006
【図５】
2013146022.tif 000007
【図６】
2013146022.tif 000008
【図７】
2013146022.tif 000009
【図８】
2013146022.tif 000010
【図９】
2013146022.tif 000011
【図１０】
2013146022.tif 000012
【図１１】
2013146022.tif 000013
【図１２】
2013146022.tif 000014
【図１３】
2013146022.tif 000015
【図１４】
2013146022.tif 000016